(57)【要約】【課題】チャンネルチューブが内装された外套シースをシースカバーで包み込んだ状態で可撓性挿入部に被覆する際に、チャンネルチューブの曲がり癖等によって外套シースが捩じれても容易に元の状態に戻して、外套シースを可撓性挿入部にスムーズに被覆することができる内視鏡の外套シースパックを提供すること。【解決手段】シースカバー３０で包み込まれた外套シース２０の基端部分２４の外面とシースカバー３０の内面とを引き剥がし自在に接合する感圧接合手段４０を設けた。【選択図】　　　図１
2004113688.tif 000002
【特許請求の範囲】
【請求項１】
内視鏡の可撓性挿入部が汚染されるのを防止するために上記可撓性挿入部に着脱自在に被覆される外套シースと、上記外套シースを上記可撓性挿入部に被覆する際に上記外套シースを包み込むためのシースカバーとを有する内視鏡の外套シースパックであって、上記の外套シース内には、先端が上記外套シースの先端に取り付けられたチャンネルチューブが挿通配置されていて、上記外套シースを上記可撓性挿入部に被覆する際に、上記可撓性挿入部に配置されたガイドチャンネル内に上記チャンネルチューブが挿通されるようになっているものにおいて、
上記外套シースの基端部分の外面と上記シースカバーの内面とを引き剥がし自在に接合する感圧接合手段を設けたことを特徴とする内視鏡の外套シースパック。
【請求項２】
上記感圧接合手段が両面粘着テープである請求項１記載の内視鏡の外套シースパック。
【発明の詳細な説明】
【０００１】
【発明の属する技術分野】
この発明は、内視鏡の可撓性挿入部が汚染されるのを防止するための外套シースと、可撓性挿入部に外套シースを被覆する際に外套シースを包み込むためのシースカバーとを有する内視鏡の外套シースパックに関する。
【０００２】
【従来の技術】
内視鏡検査において内視鏡を介して患者間感染が発生しないようにするためには、内視鏡の可撓性挿入部に外套シースを被覆して、その外套シースを内視鏡検査一回毎に取り替えるようにすればよい。
【０００３】
ただし、外套シースが内視鏡検査前に汚れてしまっては意味がないので、外套シースを内視鏡の可撓性挿入部に被覆する際には外套シースをシースカバーで包み込んでおき、外套シースを可撓性挿入部に被覆した後でシースカバーを外套シースから取り外すようにしたものがある（例えば、特許文献１）。
【０００４】
【特許文献１】
特開平５−４９５９２号公報（図１０）
【０００５】
【発明が解決しようとする課題】
内視鏡検査の際に処置具類を使用することができるように、処置具類を通すためのチャンネルチューブが外套シース内に挿通配置されていて、そのチャンネルチューブの先端が外套シースの先端に固着されているのが普通であり、外套シースを可撓性挿入部に被覆する際には、チャンネルチューブが内視鏡の可撓性挿入部に配置されたガイドチャンネル内に挿通される。
【０００６】
しかし、そのようなチャンネルチューブは、リールに巻き付けられた素材チューブを適宜の長さに切断して製造されるので、リールへの巻き癖が残って曲がり癖が付いている場合が多い。
【０００７】
そのため、チャンネルチューブをガイドチャンネル内に挿入していくと、チャンネルチューブがガイドチャンネルとの向きの関係の変化等から突然軸線周りに大きく回動してしまう場合がある。
【０００８】
すると、比較的腰が強い厚肉のチューブで形成されているチャンネルチューブに比べて極薄のチューブで形成されている外套シースが、チャンネルチューブと固着されている先端側から軸線周りに回転してシースカバー内で捩じれた状態になって、可撓性挿入部に被覆することができなくなってしまう場合がある。
【０００９】
そこで本発明は、チャンネルチューブが内装された外套シースをシースカバーで包み込んだ状態で可撓性挿入部に被覆する際に、チャンネルチューブの曲がり癖等によって外套シースが捩じれても容易に元の状態に戻して、外套シースを可撓性挿入部にスムーズに被覆することができる内視鏡の外套シースパックを提供することを目的とする。
【００１０】
【課題を解決するための手段】
上記の目的を達成するため、本発明の内視鏡の外套シースパックは、内視鏡の可撓性挿入部が汚染されるのを防止するために可撓性挿入部に着脱自在に被覆される外套シースと、外套シースを可撓性挿入部に被覆する際に外套シースを包み込むためのシースカバーとを有する内視鏡の外套シースパックであって、外套シース内には、先端が外套シースの先端に取り付けられたチャンネルチューブが挿通配置されていて、外套シースを可撓性挿入部に被覆する際に、可撓性挿入部に配置されたガイドチャンネル内にチャンネルチューブが挿通されるようになっているものにおいて、外套シースの基端部分の外面とシースカバーの内面とを引き剥がし自在に接合する感圧接合手段を設けたものであり、感圧接合手段が両面粘着テープ等であってもよい。
【００１１】
【発明の実施の形態】
図面を参照して本発明の実施例を説明する。
図１は、本発明の内視鏡の外套シースパックを構成する外套シース２０及びシースカバー３０と、その外套シース２０により被覆される内視鏡１０の一例を示している。なお、外套シース２０とシースカバー３０は断面図によって図示され、内視鏡１０は外観図が図示されている。
【００１２】
内視鏡１０の可撓性挿入部１１の先端には、観察窓１４等が配置された先端部本体１３が連結され、可撓性挿入部１１の基端には操作部１５が連結されている。１９は、可撓性挿入部１１と操作部１５との連結部である。
【００１３】
可撓性挿入部１１の内部には、例えば可撓性のポリエチレン樹脂チューブ等からなるガイドチャンネル１７が全長にわたって挿通配置されており、その先端開口１７ａが先端部本体１３に形成され、ガイドチャンネル１７の基端は、操作部１５に突出形成された基端側開口１７ｂに連通している。
【００１４】
外套シース２０は、内視鏡検査の際に内視鏡１０が被験者の体液等によって汚染されないように可撓性挿入部１１に被覆されるものであり、例えばシリコンゴムチューブ等のような伸縮性のある材料によって厚さが０．０５ｍｍ程度の薄肉円筒状に形成された被覆チューブ２１が、内視鏡１０の可撓性挿入部１１に着脱自在に被覆されるように設けられている。
【００１５】
そして、被覆チューブ２１の先端には、透明な部材により形成されて内視鏡１０の先端部本体１３部分に被嵌される先端キャップ２２が水密に取り付けられている。
【００１６】
被覆チューブ２１の基端に固着されたシース基端口金２４は内視鏡１０の連結部１９に対して係脱自在になっていて、手動固定ネジ２５を締め付けることにより連結部１９に任意に固定することができる。
【００１７】
被覆チューブ２１内には、例えば可撓性の四フッ化エチレン樹脂チューブ等のように滑りがよくて比較的腰の強い材料からなる、内径が２〜３ｍｍ、厚さが０．５ｍｍ程度のチャンネルチューブ２３が、軸線と平行方向に全長にわたって挿通配置されている。
【００１８】
チャンネルチューブ２３の先端は先端キャップ２２の先端面において外面に開口するように先端キャップ２２に接続固着されており、チャンネルチューブ２３の基端側部分２３Ａはシース基端口金２４内を通過して後方に長く延出している。
【００１９】
チャンネルチューブ２３は内視鏡１０のガイドチャンネル１７内に全長にわたって挿脱自在であり、チャンネルチューブ２３の基端側部分２３Ａを、ガイドチャンネル１７に先端開口１７ａ側から差し込んで反対側の基端側開口１７ｂから引き出すことができる。
【００２０】
このように構成された外套シース２０は任意の方向に自由に曲げることができるが、チャンネルチューブ２３にはその素材チューブがリールに巻かれて保管されていた時の巻き癖による曲がり癖が付いており、自然状態では、図１に示されるように、チャンネルチューブ２３が曲がり癖の付いた状態に曲がっていて、被覆チューブ２１もそれに沿って曲がっている。
【００２１】
シースカバー３０は、外套シース２０を内視鏡１０の可撓性挿入部１１に被覆する際など内視鏡検査前に外套シース２０が汚れてしまわないように、外套シース２０を包み込んでおくためのものであり、内視鏡検査時には外套シース２０から取り外される。
【００２２】
シースカバー３０は、外套シース２０全体を緩く包み込めるように、例えばポリエチレンシート又はポリウレタンシート等のようなフレキシビリティのある材料により厚さが０．０５ｍｍ程度のサック状に形成されていて、その入口開口部３１はラッパ状に大きく広がった形状になっている。
【００２３】
そして、シースカバー３０の内周面の、外套シース２０を包み込んだ状態のときにシース基端口金２４の外面に位置する部分には、例えば幅１５ｍｍ程度の両面粘着テープ等を素材とする感圧接合部材４０が取り付けられている。
【００２４】
感圧接合部材４０は、ＩＩ−ＩＩ断面を図示する図２に示されるように、シース基端口金２４に取り付けられている手動固定ネジ２５と干渉しない範囲でシース基端口金２４の外壁面に感圧接合されるように、シースカバー３０の内面の約四分の三周の範囲に固着されている。
【００２５】
したがって、外套シース２０を包み込んだシースカバー３０を感圧接合部材４０の部分でシース基端口金２４の外壁面に押し付ければ感圧接合部材４０がシース基端口金２４に感圧接合される。
【００２６】
そして、外套シース２０からシースカバー３０を取り外す際には、シースカバー３０を捲るようにして感圧接合部材４０を引っ張れば、感圧接合部材４０をシース基端口金２４の外壁面から比較的容易に引き剥がすことができる。
【００２７】
図３は、内視鏡１０の可撓性挿入部１１に外套シース２０が被せられた状態（内視鏡検査を行う状態）を示しており、外套シース２０からシースカバー３０が取り外されて、手動固定ネジ２５が締め付けられ、外套シース２０のシース基端口金２４が内視鏡１０の連結部１９に固定されている。その結果、内視鏡１０の可撓性挿入部１１が外套シース２０によって外部環境から絶縁されて使用中の汚染が防止される。
【００２８】
内視鏡１０の操作部１５に配置されたガイドチャンネル１７の基端側開口１７ｂから延出するチャンネルチューブ２３の基端側部分２３Ａは、ガイドチャンネル１７の基端側開口１７ｂから外方に延出している。
【００２９】
図４は、図１の状態に準備された内視鏡の外套シースパック２０，３０を内視鏡１０の可撓性挿入部１１に取り付ける状態を示しており、外套シース２０を包み込んだシースカバー３０をシース基端口金２４の外側から摘んで、内視鏡１０のガイドチャンネル１７内に外套シース２０のチャンネルチューブ２３を挿入しながら外套シース２０を可撓性挿入部１１に被覆していく。
【００３０】
すると、内視鏡１０を省略して図示する図５に示されるように、チャンネルチューブ２３に付いている曲がり癖等の影響によりチャンネルチューブ２３が突然軸線周りに大きく回動して、外套シース２０の被覆チューブ２１が軸線周りに捩じれてしまう場合がある。
【００３１】
しかし、被覆チューブ２１を包み込んでいるシースカバー３０が感圧接合部材４０によってシース基端口金２４の外壁面に接合された状態になっているので、被覆チューブ２１が捩じれれば、シースカバー３０内で被覆チューブ２１だけが捩じれるのではなく、シースカバー３０も被覆チューブ２１と共に捩じれた状態になる。
【００３２】
したがって、手でシースカバー３０の外側から捩じれを取る作業を行えば、内視鏡１０を省略して図示する図６に示されるように、シースカバー３０と共に被覆チューブ２１が捩じれのない元の状態に戻されるので、可撓性挿入部１１に対する被覆作業をスムーズに続行して完了させることができる。
【００３３】
【発明の効果】
本発明によれば、外套シースの基端部分の外面とシースカバーの内面とを引き剥がし自在に接合する感圧接合手段を設けたことにより、シースカバーで包み込まれた状態の外套シースを可撓性挿入部に被覆する際に、チャンネルチューブの曲がり癖等によって外套シースが捩じれてもそれと共にシースカバーも捩じられるので、手で外側からシースカバーの捩じれを取る作業を行うだけで外套シースの捩じれを容易に元の状態に戻して、外套シースを可撓性挿入部にスムーズに被覆することができる。
【図面の簡単な説明】
【図１】本発明の実施例の内視鏡の外套シースパックと内視鏡の一例を示す側面一部断面図である。
【図２】本発明の実施例の図１におけるＩＩ−ＩＩ断面図である。
【図３】本発明の実施例の内視鏡に外套シースが被覆された状態の一部を断面で示す部分側面図である。
【図４】本発明の実施例の内視鏡に対して内視鏡の外套シースパックが被覆され始める状態の側面一部断面図である。
【図５】本発明の実施例の内視鏡に対して被覆される途中で捩じれた状態の内視鏡の外套シースパックの側面一部断面図である。
【図６】本発明の実施例の捩れが解除された状態の内視鏡の外套シースパックの側面一部断面図である。
【符号の説明】
１０　内視鏡
１１　可撓性挿入部
１７　ガイドチャンネル
２０　外套シース
２１　被覆チューブ
２３　チャンネルチューブ
２４　シース基端口金
３０　シースカバー
４０　感圧接合部材
【図１】
2004113688.tif 000003
【図２】
2004113688.tif 000004
【図３】
2004113688.tif 000005
【図４】
2004113688.tif 000006
【図５】
2004113688.tif 000007
【図６】
2004113688.tif 000008